(57)【要約】【課題】蛍光灯によるフリッカや投射光の色光の変化に起因する縞模様が撮像画像に発生しないオートフォーカス用カメラを提供すること。【解決手段】投射像の合焦状態を検出するために投射像を撮像するオートフォーカス用カメラ３０において、撮像素子３７の露光時間を所定時間より長くするとともに、撮像素子３７の前方に、撮像素子３７に入射する光の光量を低下させる光量低下手段３５，３６を備える。【選択図】図３
2007171430.tif 000002
【特許請求の範囲】
【請求項１】
投射像の合焦状態を検出するために上記投射像を撮像するオートフォーカス用カメラにおいて、
撮像素子の露光時間を所定時間より長くするとともに、
上記撮像素子の前方に、上記撮像素子に入射する光の光量を低下させる光量低下手段を備えたことを特徴とするオートフォーカス用カメラ。
【請求項２】
前記光量低下手段は、絞りおよび減光フィルタのいずれか一方または両者であることを特徴とする請求項１に記載のオートフォーカス用カメラ。
【請求項３】
請求項１または請求項２に記載のオートフォーカス用カメラを備え、このオートフォーカス用カメラで撮像された撮像画像に基づいて投射像の合焦動作を行うことを特徴とする投射型表示装置。
【請求項４】
請求項１または請求項２に記載のオートフォーカス用カメラを備え、このオートフォーカス用カメラで撮像された撮像画像に基づいて投射像の合焦動作を行うことを特徴とするＤＬＰプロジェクタ。
【発明の詳細な説明】
【技術分野】
【０００１】
本発明は、オートフォーカス用カメラに関する。
【背景技術】
【０００２】
液晶プロジェクタ装置等の投射型表示装置には、ＣＣＤ（Ｃｈａｒｇｅ  Ｃｏｕｐｌｅｄ  Ｄｅｖｉｃｅｓ）等の撮像素子を撮像部とするオートフォーカス用カメラ（以下、ＡＦ用カメラと記載する）を備えるものがある。そして、このＡＦ用カメラに撮像された撮像画像に基づいて、いわゆるコントラスト法により、投射レンズの合焦動作を行う投射型表示装置が、例えば、特許文献１から３に開示されている。このコントラスト法とは、投射像のコントラストがもっとも高くなる状態を、投射像が合焦状態で投射されているとみなし、ＡＦ用カメラの撮像画像のコントラストがもっとも高くなる位置に、投射レンズのフォーカスレンズを光軸方向の前後に移動させるものである。
【０００３】
【特許文献１】特開２００５−７０６８７号公報（要約書等を参照）
【特許文献２】特開２００４−１０９３４６号公報（要約書等を参照）
【特許文献３】特開平６−３５７７号公報（要約書等を参照）
【発明の開示】
【発明が解決しようとする課題】
【０００４】
しかしながら、投射型表示装置を蛍光灯の照明光の下で使用すると、蛍光灯のフリッカの影響を受けて、ＡＦ用カメラの撮像画像に縞模様が発生するという現象が生じる。また、光変調手段としてＤＭＤ（Ｄｉｇｉｔａｌ  Ｍｉｃｒｏｍｉｒｒｏｒ  Ｄｅｖｉｃｅ：米テキサスインスツルメンツ社の登録商標）を用いるいわゆるＤＬＰ（Ｄｉｇｉｔａｌ  Ｌｉｇｈｔ  Ｐｒｏｃｅｓｓｉｎｇ：米テキサスインスツルメンツ社の登録商標）プロジェクタと呼ばれる投射型表示装置においても、投射像を形成する投射光の色光が、カラーホイールの回転により時分割で変化する影響を受けて、ＡＦ用カメラの撮像画像に縞模様が発生するという現象が生じる。
【０００５】
このように、蛍光灯のフリッカや投射光の色光の変化により撮像画像に縞模様が発生すると、撮像画像のコントラストが本来のコントラストと異なってしまい、合焦状態を正確に検出できないという問題がある。
【０００６】
このような問題を解決する手段として、撮像画像に蛍光灯のフリッカによる縞模様が発生しないようにＣＣＤの撮像周期を設定するいわゆるフリッカレスとすることが考えられる。しかしながら、このような手段を採用した場合には、ＣＣＤを駆動する回路等が複雑になり、ＣＣＤのコストが高くなるという問題がある。また、かかる手段によれば、蛍光灯のフリッカによる縞模様の発生をなくすことはできるが、ＤＬＰプロジェクタのように、投射像を形成する投射光の色光が時分割で変化することにより撮像画像に発生する縞模様については発生を抑えることができないという問題がある。
【０００７】
そこで、本発明は、投射型表示装置の投射像を蛍光灯の照明光の下で撮像しても、あるいはＤＬＰプロジェクタによる投射像を撮像しても、撮像画像に縞模様が発生するのを抑制できるＡＦ用カメラを提供することを目的とする。さらに、このようなＡＦ用カメラを備える投射型表示装置およびＤＬＰプロジェクタを提供することを目的とする。
【課題を解決するための手段】
【０００８】
上記課題を解決するために、本発明は、投射像の合焦状態を検出するために投射像を撮像するオートフォーカス用カメラにおいて、撮像素子の露光時間を所定時間より長くするとともに、撮像素子の前方に、撮像素子に入射する光の光量を低下させる光量低下手段を備えたこととする。このように構成した場合には、蛍光灯のフリッカがあっても、あるいは投射光の色光が時分割で変化しても縞模様の発生が抑えられた撮像画像を得ることができ、合焦状態の検出の精度を上げることができる。
【０００９】
また、他の発明は、上記オートフォーカス用カメラの光量低下手段を、絞りおよび減光フィルタのいずれか一方または両者であることとした。このように、絞り装置と減光フィルタのいずれか一方または両者を用いることで、効果的に光量を低下させることができる。
【００１０】
また、他の発明は、投射型表示装置に上記のオートフォーカス用カメラを備えることとした。このように構成した場合には、蛍光灯のフリッカがあっても、投射像の合焦動作の精度の低下を抑えることができる。
【００１１】
また、他の発明は、ＤＬＰプロジェクタに上記のオートフォーカス用カメラを備えることとした。このように構成した場合には、カラーホイールにより投射光の色光が変化するにも関わらず、投射像の合焦動作の精度の低下を抑えることができる。
【発明の効果】
【００１２】
本発明によるＡＦ用カメラは、投射型表示装置の投射像を蛍光灯の照明光の下で撮像しても、あるいはＤＬＰプロジェクタによる投射像を撮像しても、撮像画像に縞模様が発生するのを抑制できる。
【発明を実施するための最良の形態】
【００１３】
（第１の実施の形態）
以下、本発明に係るＡＦ用カメラの実施の形態について、図１から図５を参照しながら説明する。先ず、第１の実施の形態について、図１から図４を参照しながら説明する。なお、ＡＦ用カメラを組み込んだ投射型表示装置として、液晶表示装置を使用した液晶プロジェクタ（第１の実施の形態）と、ＤＬＰプロジェクタ（第２の実施の形態）の２つの例を挙げて説明するが、他の形態の投射型表示装置でも本発明を適用できる。
【００１４】
図１は、第１の実施の形態における液晶プロジェクタ１０の合焦動作を行う際の使用状態を示す図で、スクリーンＳに合焦状態を検出するためのテストパターンＴを投射した状態を表わしている。液晶プロジェクタ１０は、投射レンズ２０とＡＦ用カメラ３０を備える。
【００１５】
液晶プロジェクタ１０は、合焦動作を行うに当たり、図１に示すように、上下方向に長い帯状の黒いストライプが、横方向に一定の間隔で複数本配列されているテストパターンＴを投射レンズ２０から投射する。そして、投射レンズ２０に備えられる図示外のフォーカスレンズを投射レンズ２０の光軸方向に前後に移動し、テストパターンＴの合焦状態を変化させる。このテストパターンＴをＡＦ用カメラ３０で撮像し、撮像画像のコントラストの変化を図示外の制御回路部により評価する。そして、撮像画像のコントラストがもっともコントラストが高くなる位置にフォーカスレンズ（図示外）が移動したときに、テストパターンＴが合焦状態で投射されていると判断し、この位置でフォーカスレンズ（図以外）の移動を停止する。なお、本実施の形態においては、ＡＦ用カメラ３０は、テストパターンＴの中心を中心とする矩形領域ｔを撮影するように設定され、この矩形領域ｔの撮像画像のコントラストを評価している。
【００１６】
制御回路部（不図示）は、コントラストの高低の評価を次のように行っている。後にその構成について詳述するＡＦ用カメラ３０のＣＣＤ３７に撮像される撮像画像について、横方向（黒いストライプの配列方向）の１ラインあるいは数ラインについて、横方向に配列される画素間の輝度差の値を検出し、この差分の値を合計する。テストパターンＴが合焦状態に近づくほど、テストパターンＴのコントラストが高くなり、ストライプのエッジ部が明瞭となる。したがって、コントラストが高くなるほどストライプのエッジ部における明部と暗部の画素間の輝度差の値は大きくなり、差分の値の合計も、テストパターンＴが合焦状態に近づくほど大きくなる。すなわち、コントラストの高低の評価を、画素間の輝度差の値の合計値により行い、画素間の輝度差の値の合計が最も大きくなるときが、テストパターンＴが合焦状態で投射されていると判断する。
【００１７】
例えば、図４（Ａ）に示すように、テストパターンＴについて、例えば、横方向の１ラインＬに配列される画素間の輝度差の値は（Ｂ）に示すようになる。すなわち、所定のラインＬについて、黒いストライプの両側のエッジ部Ｅ１，Ｅ２の部分の輝度差が大きくなる。白い背景から黒いストライプに変る部分であるエッジ部Ｅ１においては、輝度が急激に落ち、その後、黒いストライプが続くので輝度差は０に落ち着く。その後、黒いストライプから白い背景に変る部分であるエッジ部Ｅ２においては、輝度が急激に高くなり、その後、白い背景が続くので輝度差は０に落ち着く。このような現象が繰り返され、図４（Ｂ）に示すような輝度差のグラフが得られる。この輝度差の値の合計が一番高くなる位置にフォーカスレンズ（不図示）が移動したときに、テストパターンＴは合焦状態でスクリーンＳに投射されていると判断する。
【００１８】
次に、図２および図３を参照しながらＡＦ用カメラ３０の構成を説明する。図２は、ＡＦ用カメラ３０をスクリーンＳの側から見た正面図である。図３は、図２における切断線Ａ−Ａにおける右側断面図である。なお、以下の説明おいて、ＡＦ用カメラ３０から見てスクリーンＳの側を前方（前側）として説明する。
【００１９】
ＡＦ用カメラ３０は、図３に示すように、レンズ鏡筒３１と基板ボード３２とを備え、レンズ鏡筒３１は、鏡筒保持筒３３を介して基板ボード３２に取り付けられている。レンズ鏡筒３１には、前方から順に、凸レンズと凹レンズの２枚構成の撮像レンズ３４、中央部に絞り開口３５Ａを有する絞りとしての絞り板３５および減光フィルタとしてのＮＤ（Ｎｅｕｔｒａｌ  Ｄｅｎｓｉｔｙ）フィルタ３６が組み込まれている。基板ボード３２には、ＣＣＤ３７とこのＣＣＤ３７を駆動するＣＣＤ駆動回路、さらにＡＦ用カメラ３０と制御回路部（不図示）との接続を行うためのコネクタ部３７Ａが備えられている。
【００２０】
レンズ鏡筒３１は、前側に撮像レンズ３４を保持する撮像レンズ保持部３１Ａを有し、後側に絞り板３５とＮＤフィルタ３６を保持する光量低下手段保持部３１Ｂを有している。撮像レンズ保持部３１Ａには、内周面に沿って前方に段差面を向ける段部３１Ｃが形成されている。撮像レンズ３４は、その後側の面の外周部を、段部３１Ｃに当接させた状態で撮像レンズ保持部３１Ａ内に嵌め込まれる。撮像レンズ３４は、撮像レンズ保持部３１Ａ内に嵌め込まれた状態で、その前側の面が、レンズ鏡筒３１の前端部からやや突出するようになっている。
【００２１】
レンズ鏡筒３１の前側には、レンズ押え環３８が取り付けられる。レンズ押え環３８は、前端に内周側に突出するフランジ状のレンズ押え部３８Ａを備えるとともに、レンズ押え部３８Ａより後側の筒部３８Ｂの内周面に雌ねじ３８ｂが形成されている。レンズ鏡筒３１の前端側の外周面には、レンズ押え環３８の雌ねじ３８ｂにねじ結合する雄ねじ３１Ｄが形成されている。レンズ押え環３８は、雌ねじ３８ｂをレンズ鏡筒３１の雄ねじ３１Ｄにねじ結合させてレンズ鏡筒３１に取り付けられる。レンズ鏡筒３１に取り付けられたレンズ押え環３８のレンズ押え部３８Ａは、レンズ鏡筒３１の前端部から突出した撮像レンズ３４の前面に当接する。そのため、レンズ押え環３８を後方に締め込むと、撮像レンズ３４は、レンズ押え部３８Ａと段部３１Ｃの間に挟み込まれるようにして撮像レンズ保持部３１Ａに固定して保持される。
【００２２】
光量低下手段保持部３１Ｂには、内周面に沿って後方に段差面を向ける段部３１Ｅが形成されている。光量低下手段保持部３１Ｂには、絞り板３５が、その前側の面の外周部に、段部３１Ｅを当接させた状態で嵌め込まれ、さらに、絞り板３５の後側に、ＮＤフィルタ３６が絞り板３５に当接させた状態で嵌め込まれる。
【００２３】
光量低下手段保持部３１Ｂ内には、絞り板３５とＮＤフィルタ３６の後側から光量低下手段押え環３８が嵌め込まれる。光量低下手段押え環３８は、外周面に雄ねじ３８Ａが形成され、光量低下手段保持部３１Ｂの内周面には雄ねじ３８Ａにねじ結合する雌ねじ３１Ｆが形成されている。したがって、光量低下手段押え環３８は、光量低下手段保持部３１Ｂ内にねじ結合して嵌め込まれることになる。そして、光量低下手段押え環３８を前方に向けて締め込むことにより、絞り板３５とＮＤフィルタ３６が、段部３１Ｅと光量低下手段押え環３８の前面部により挟み込まれて、光量低下手段保持部３１Ｂ内に固定されることになる。光量低下手段押え環３８は、中央部に前後方向に光軸に沿って貫通する孔である孔部３８Ｂが形成される環状体であり、絞り板３５の絞り開口３５Ａを通過し、その後、ＮＤフィルタ３６によってさらに光量が減少した被写体光が通過できるようになっている。
【００２４】
レンズ鏡筒３１の外周面と鏡筒保持筒３３の内周面には、互いにねじ結合する雄ねじ３１Ｇと雌ねじ３３Ａが形成されている。レンズ鏡筒３１は、雄ねじ３１Ｇと雌ねじ３３Ａにより鏡筒保持筒３３に対してねじ結合される。鏡筒保持筒３３の後端には、前方から見た形状が矩形のフランジ部３３Ｂが設けられている。鏡筒保持筒３３は、このフランジ部３３Ｂをねじ３３Ｃにより基板ボード３２に対して取り付けられている。したがって、レンズ鏡筒３１は、鏡筒保持筒３３を介して基板ボード３２に対して取り付けられることになる。なお、鏡筒保持筒３３の内周部のレンズ鏡筒３１の後側には、赤外線カットフィルタ３９が保持されている。
【００２５】
基板ボード３２の４隅に形成されるねじ孔３２Ａに図示を省略するねじを通し、このねじを液晶プロジェクタ１０に設けられる図示外のカメラ取付部にねじ結合することにより、ＡＦ用カメラ３０は、カメラ取付部（図示外）に取り付けられる。
【００２６】
撮像レンズ３４は、例えば、撮像レンズ３４の前方１．５メートルから無限遠までの距離にある被写体に対して、ＣＣＤ３７の撮像面に合焦するいわゆるパンフォーカスとなるように構成されている。したがって、スクリーンＳと撮像レンズ３４が１．５メートル以上離れるように、液晶プロジェクタ１０とスクリーンＳを配設することにより、ＣＣＤ３７の撮像面には矩形領域ｔの投射像の撮像画像が合焦状態で結像することになる。矩形領域ｔの投射像が、ＣＣＤ３７の撮像面に対してパンフォーカスとなるように、レンズ鏡筒３１と鏡筒保持筒３３とのねじ結合の量が調整される。そして、この調整状態が保たれるように、レンズ鏡筒３１と鏡筒保持筒３３とは互いに接着材などにより固定される。
【００２７】
本発明の発明者は、先に述べた課題の解決を図る手段を模索する中で、本実施の形態のＡＦ用カメラ３０に備えられている絞り板３５やＮＤフィルタ３６といった光量低下手段を備えないＡＦ用カメラ、すなわち撮像レンズとＣＣＤのみから構成されるＡＦ用カメラを用いて、蛍光灯のフリッカのある環境の下で投射像を撮像し、ＣＣＤの露光時間の長短と、撮像画像への縞模様の発生の有無を調べる実験を行った。その結果、液晶プロジェクタの場合、ＣＣＤの露光時間を長くすると、蛍光灯のフリッカによる縞模様の発生を抑えることができるという結果を得た。
【００２８】
一方、ＣＣＤの露光時間を長くすると撮像画像が露出オーバーとなるいわゆる白とびの状態となる。そこで、発明者は、縞模様が発生しない程度にＣＣＤの露光時間を長くした状態で、ＣＣＤの前方に絞り板、あるいはＮＤフィルタを配設し、ＣＣＤに入射する光の光量を低下させたところ、縞模様の発生がないまま、白とびの発生が抑えられる結果を得た。
【００２９】
以上の実験結果に基づき、本実施の形態のＡＦ用カメラ３０においては、ＣＣＤ３７の所定の露光時間は、絞り板３５とＮＤフィルタ３６を取り外した状態で、蛍光灯のフリッカのある環境下で矩形領域ｔを撮像しても、撮像画像にフリッカによる縞模様が発生しない程度に長く設定されている。一方で、撮像画像に白とびが発生しないように、投射レンズ３１とＣＣＤ３７の間に絞り板３５とＮＤフィルタ３６を配設し、ＣＣＤ３７に入射する被写体光の光量を抑えることとしている。なお、ＣＣＤ３７の具体的な露光時間、絞り板３５の開口３５Ａの径およびＮＤフィルタ３６の減光量は、蛍光灯の明るさや投射像の明るさ、およびＣＣＤ３７の感度等に基づき適宜に設定する。
【００３０】
以上のように構成されるＡＦ用カメラ３０により、縞模様の発生が抑えられて撮像された撮像画像のコントラストを制御回路部（図示外）において評価し、撮像画像のコントラストが一番高くなる位置に、フォーカスレンズを光軸方向に前後に移動し、投射レンズ２０の合焦動作を行う。
【００３１】
つまり、テストパターンＴの輝度差の値を検出するライン（横方向の１ラインあるいは数ライン）上に縞模様が発生している場合には、正確な輝度差の値を検出することができず、合焦動作を適正に行うことができない虞がある。しかしながら、上述のように、縞模様の発生が抑えられて撮像された撮像画像に基づいてコントラストを評価することにより、テストパターンＴの正確な輝度差の値を検出することができ、適正な合焦動作を行うことができる。
【００３２】
ＡＦ用カメラ３０のＣＣＤ３７の露光時間と絞り板３５の絞り開口３５Ａの絞り径およびＮＤフィルタ３６の減光量を上述したように設定することにより、蛍光灯のフリッカの下においても、投射レンズ２０による投射像をスクリーンＳ上に確実に合焦させた状態で投射することができる。
【００３３】
次に、第２の実施の形態に係るＤＬＰプロジェクタ１０Ａを説明する。なお、このＤＬＰプロジェクタ１０ＡのＡＦ用カメラ３０は、液晶プロジェクタ１０のＡＦ用カメラ３０と同様の構成であり、同一部材には同一の番号を使用して説明することとする。
【００３４】
ところで、上述の背景技術の欄に説明したように、ＤＬＰプロジェクタにおいても、投射像を形成する投射光の色光が時分割で変化する影響を受けて、ＡＦ用カメラの撮像画像に縞模様が発生するという現象が生じる。
【００３５】
そこで、発明者は、蛍光灯のフリッカに対する対策を模索したときと同じように、ＡＦ用カメラ３０に備えられている絞り板３５やＮＤフィルタ３６といった光量低下手段を備えない撮像レンズとＣＣＤのみから構成されるＡＦ用カメラを用いて、ＤＬＰプロジェクタにより投射されるテストパターンＴの矩形領域ｔを撮像し、ＣＣＤの露光時間の長短と、撮像画像への縞模様の発生の有無を調べる実験を行った。その結果、蛍光灯のフリッカのある環境下で撮像したときと同様に、ＣＣＤの露光時間を長くすると投射光の色光が変化することによる縞模様の発生を抑えることができるという結果を得た。
【００３６】
一方、ＣＣＤの露光時間を長くすると撮像画像が露出オーバーとなるいわゆる白とびの状態となる。そこで、縞模様が発生しない程度にＣＣＤの露光時間を長くした状態で、ＣＣＤの前方に絞り板、あるいはＮＤフィルタを配設し、ＣＣＤに入射する光の光量を低下させたところ、この場合も、蛍光灯のフリッカのある環境下で撮像したときと同様に縞模様の発生がないまま、白とびの発生が抑えられる結果を得た。
【００３７】
したがって、液晶プロジェクタ１０がＤＬＰプロジェクタ１０Ａである場合にも、ＡＦ用カメラ３０のＣＣＤ３７の所定の露光時間を、絞り板３５とＮＤフィルタ３６を取り外した状態で、ＤＬＰプロジェクタによる投射像であるテストパターンＴを撮像しても、投射光の色光が変化することによる縞模様が発生しない程度にＣＣＤ３７の露光時間を長く設定する。そして、露光時間が長くなったＣＣＤ３７の撮像画像に白とびが発生しないように、絞り板３５の絞り開口３５Ａの絞り径およびＮＤフィルタ３６の減光量を設定する。これにより、ＤＬＰプロジェクタ１０Ａの投射像に対しても縞模様の発生を抑えた撮像画像を撮像することができる。そして、ＤＬＰプロジェクタ１０Ａにおいても、投射レンズ２０による投射像をスクリーンＳ上に確実に合焦させた状態で投射することができる。
【００３８】
なお、ＣＣＤ３７の具体的な露光時間、絞り板３５の絞り開口３５Ａの絞り径およびＮＤフィルタ３６の減光量は、投射光の明るさやＣＣＤ３７の感度等に基づき適宜に設定する。また、蛍光灯のフリッカの影響がある環境の下において投射されたＤＬＰプロジェクタ１０Ａの投射像を撮像するに際して、縞模様が発生しないようにＣＣＤ３７の露光時間を設定し、撮像画像に白とびが発生しないように、絞り板３５の絞り径およびＮＤフィルタ３６の減光量を設定することにより、ＤＬＰプロジェクタを蛍光灯の照明光の下で使用した場合でも、投射レンズ２０による投射像をスクリーンＳ上に確実に合焦させた状態で投射することができる。
【００３９】
（変形例）
以上に説明した各実施の形態においては、光量低下手段として、絞り板３５とＮＤフィルタ３６を２つ用いたが、図５の（Ａ）に示すように、光量低下手段をＮＤフィルタ３６のみとしてもよく、また図５の（Ｂ）に示すように絞り板３５のみとしてもよい。なお、図５（Ａ）（Ｂ）は、ＡＦ用カメラ３０の撮像レンズ３４からＣＣＤ３７までの光学系を上述の第１の変形例を説明するために模式的に表したものである。
【００４０】
上述の各実施の形態およびその変形例において、絞り板３５とＮＤフィルタは、ＣＣＤ３７の前方であればどの場所に配設しても、白とびを抑える作用を有するが、絞り板３５については、被写体光の主光線がＡＦ用カメラ３０の光学系の光軸と交差する位置に設けるようにすれば、撮影画角に対する影響を少なくして、ＣＣＤ３７に入射する被写体光の光量を効果的に減らすことができる。
【００４１】
また、減光フィルタはＮＤフィルタの代わりに、偏光板を用いて、光量を低下させることとしてもよい。また、ＣＣＤ３７の他に例えば、Ｃ−ＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサを撮像素子として利用してもよい。
【図面の簡単な説明】
【００４２】
【図１】本発明に係るオートフォーカス用カメラを備える液晶プロジェクタ（ＤＬＰプロジェクタ）の合焦動作を行う際の使用状態を示す図である。
【図２】本発明に係るオートフォーカス用カメラの正面図である。
【図３】図２におけるＡ−Ａで切断した断面図である。
【図４】本発明の実施の形態に係る液晶プロジェクタやＤＬＰプロジェクタにおける撮像画像のコントラストの評価方法を説明する図である。
【図５】図１等で示したオートフォーカス用カメラの変形例を示す図である。
【符号の説明】
【００４３】
１０  …  液晶プロジェクタ（投射型表示装置）
１０Ａ  …ＤＬＰプロジェクタ（投射型表示装置）
３０  …  ＡＦ用カメラ（オートフォーカスカメラ）
３５  …  絞り板（絞り）
３６  …  ＮＤフィルタ（減光フィルタ）
３７  …  ＣＣＤ（撮像素子）
【図１】
2007171430.tif 000003
【図２】
2007171430.tif 000004
【図３】
2007171430.tif 000005
【図４】
2007171430.tif 000006
【図５】
2007171430.tif 000007